(57)【要約】【課題】外観性と強度性に優れ、しかも水抜き孔の後方位置での水切性が良好となった吐水スパウトを提供すること。【解決手段】水処理装置２０で生成した処理水を吐水するための吐水口２４を有するスパウト２７と、スパウト２７の吐水口２４を除いてスパウト２７の外周面を覆うスパウトカバー４２とを備え、スパウト２７を先端程下方に向けて下り傾斜させると共に、スパウトカバー４２を先端程下方に向けて下り傾斜させ、スパウトカバー４２の下面にスパウト２７外周面とスパウトカバー４２内周面との隙間に生じた結露水を吐水口２４よりも後方Ｂ位置で外部に排出するための水抜き孔４３を設けた吐水スパウト２である。【選択図】図１
2008169651.tif 000002
【特許請求の範囲】
【請求項１】
水処理装置で生成した処理水を吐水するための吐水スパウトであって、先端下面に吐水口を有するスパウトと、スパウトの吐水口を除いてスパウトの外周面を覆うスパウトカバーとを備え、スパウトを先端程下方に向けて下り傾斜させると共に、スパウトカバーを先端程下方に向けて下り傾斜させ、スパウトカバーの下面にスパウト外周面とスパウトカバー内周面との隙間に生じた結露水を吐水口よりも後方位置で外部に排出するための水抜き孔を設けてなることを特徴とする吐水スパウト。
【請求項２】
前記スパウトカバーの水抜き孔における吐水口近傍位置にリブを架け渡したことを特徴とする請求項１記載の吐水スパウト。
【請求項３】
前記スパウトカバーの先端程下方に向けて下り傾斜した上面部分に、前記水処理装置からスパウト内部への処理水の水質の切り替えを操作するための操作部を設けたことを特徴とする請求項１又は２記載の吐水スパウト。 
【発明の詳細な説明】
【技術分野】
【０００１】
本発明は、吐水スパウトに関し、詳しくは水処理装置により生成された浄水、イオン水等の処理水を吐水する吐水スパウトに関するものである。
【背景技術】
【０００２】
従来から、洗面台や流し台のシンク周りに設置される水処理装置として、例えば、水栓から供給される水道水をカートリッジにてろ過して浄水を吐出させる浄水器や、ろ過した水道水の水質を電気分解によってアルカリ性および酸性に変える電解槽を内蔵したアルカリイオン整水器（例えば、特許文献１参照）などが知られている。
【０００３】
ところが、前記特許文献１に開示された従来例では、水処理装置の上面からスパウトを突設し、スパウトの先端下面に設けた吐水口から処理水（例えばアルカリ性水）を吐出させている。一般に、スパウトは細長い吐水管で構成されており、デザイン自由度やボリューム感が無く、そのうえ強度的にも弱く、使用者に安っぽいイメージを与えるという課題を有していた。
【０００４】
本発明者らは、本発明に至る過程で、スパウトの先端下面の吐水口を除く外周面を中空形状のスパウトカバーで覆うことにより、従来の課題を解決することができた。ところが、スパウトカバーでスパウトの外周面を覆った場合は、スパウトカバーの内側が高湿度となって結露水が発生しやすくなり、スパウトカバー内部に溜まった汚れた結露水や水垢等がスパウトカバー内面を伝って吐水口から吐出する処理水に混入してしまい、不衛生になるという問題がある。
【特許文献１】特開２０００−３３４４５７号公報
【発明の開示】
【発明が解決しようとする課題】
【０００５】
本発明は前記の従来の問題点に鑑みて発明したものであって、外観性と強度性に優れ、しかも水抜き孔の後方位置での水切性が良好となった吐水スパウトを提供することを課題とし、さらに、操作性にも優れた吐水スパウトを提供することを課題とするものである。
【課題を解決するための手段】
【０００６】
前記課題を解決するために本発明は、水処理装置２０で生成した処理水を吐水するための吐水スパウト２であって、先端下面に吐水口２４を有するスパウト２７と、スパウト２７の吐水口２４を除いてスパウト２７の外周面を覆うスパウトカバー４２とを備え、スパウト２７を先端程下方に向けて下り傾斜させると共に、スパウトカバー４２を先端程下方に向けて下り傾斜させ、スパウトカバー４２の下面にスパウト２７外周面とスパウトカバー４２内周面との隙間に生じた結露水を吐水口２４よりも後方Ｂ位置で外部に排出するための水抜き孔４３を設けてなることを特徴としている。
【０００７】
このような構成とすることで、スパウトカバー４２によってスパウト２７の外観にボリューム感とデザイン自由度とが付与されると共に、スパウト２７とスパウトカバー４２とが二重構造となることで、スパウト２７の先端部２７ａの強度が高まり、吐水スパウト２の先端部に荷重がかけられた時に、スパウト２７が根元から折損したりする虞がない。しかも、スパウトカバー４２の内側が高湿度となって結露水が発生した場合でも、スパウトカバー４２内に溜まった汚れた結露水や水垢等がスパウトカバー４２内面の下り傾斜によって吐水口２４側に向かって流下する際に、吐水口２４の後方Ｂ位置（吐水口２４よりも高い位置）において水抜き孔４３から外部に排出されるようになり、汚れた結露水や水垢等が吐水口２４から吐出する処理水に混入する虞がなくなる。
【０００８】
また、前記スパウトカバー４２の水抜き孔４３における吐水口２４近傍位置にリブ４４を架け渡すようにするのが好ましく、この場合、孔明けによるスパウトカバー４２の強度低下をリブ４４によって極力防止できると共に、水抜き孔４３の縁を伝う水がリブ４４を伝って下方に落下することで、水抜き孔４３の後方Ｂ位置での水切り性を一層良くすることができる。
【０００９】
また、前記スパウトカバー４２の先端程下方に向けて下り傾斜した上面部分に、前記水処理装置２０からスパウト２７内部への処理水の水質の切り替えを操作するための操作部３９を設けるのが好ましく、この場合、操作部３９の操作がしやすくなると共に、操作部３９が前方から見やすく且つ操作性が一段と良くなる。
【発明の効果】
【００１０】
以上のように請求項１記載の発明は、スパウト及びスパウトカバーを前下りに傾斜させると共に、スパウトの吐水口よりも後方位置のスパウトカバー部分に水抜き孔を形成したことにより、スパウトカバーによってスパウトの外観にボリューム感とデザイン自由度とが付与され、使用者に高級なイメージを与えることができると共に、スパウトとスパウトカバーとが二重構造となることで、強度に優れた吐水スパウトが得られる。さらに水抜き孔の後方位置での水切性を良好に行なうことができるので、スパウトカバー内に溜まった汚れた結露水や水垢等が吐水口から吐出する処理水に混入する虞がなく、処理水の衛生状態を良好に保つことができる吐水スパウトを提供できるものである。
【００１１】
また請求項２記載の発明は、前記スパウトカバーの水抜き孔における吐水口近傍位置にリブを架け渡すことにより、スパウトカバーの補強と水抜き孔の後方位置での水切り性向上とが図られる。
【００１２】
また請求項３記載の発明は、前記スパウトカバーの先端程下方に向けて下り傾斜した上面部分に、水処理装置からスパウト内部への処理水の水質の切り替えを操作するための操作部を設けたことにより、操作性が優れた吐水スパウトが得られる。
【発明を実施するための最良の形態】
【００１３】
以下、本発明を添付図面に示す実施形態に基いて説明する。
【００１４】
図１は本発明の水処理装置２０の一実施形態であり、水処理を行なう水処理装置本体３と、処理水吐水用のスタンド型の吐水スパウト２とが別体で構成されている。
【００１５】
図２は前記水処理装置本体３の一例として、水道水や井戸水等の源水を電気分解して、飲料用や医療用として利用するアルカリイオン水及び洗浄用等に利用する酸性イオン水を生成する電解水生成装置を例示している。
【００１６】
この電解水生成装置の装置本体３内には、図２に示すように、内部配管及び、電解水生成装置の主体となる浄水部４、カルシウム供給部５、電解槽７をはじめとする機器が収容されている。内部配管は、上流側端部に水道等の原水管１が接続され、内部配管の途中には上流側から順に、内部に原水中の残留塩素を吸収する活性炭及び一般細菌や不純物を取り除く中空紙膜を備えた浄水部４、通水を確認して後述の制御部１５に制御指示をする流量センサ６、グリセロリン酸カルシウムや乳酸カルシウム等のカルシウムイオンを原水中に付与し導電率を高めるカルシウム供給部５、流量センサ６を経由してきた水を電気分解する電解槽７が配設してある。
【００１７】
電解槽７は、隔膜８によって槽内が二分されて形成された各電極室に電極板９，１０を備えている。そして、一方の電極板９を備えた側の電極室には、この電極室にて生成される使用水（電極板９が陰極の場合はアルカリイオン水、陽極の場合は酸性イオン水）を吐出するためのフレキシブル管２３が接続される。フレキシブル管２３の先端部は後述の吐水スパウト２に接続されている。これに対して、他方の電極板１０を備えた側の電極室には、この電極室にて生成される使用されない方の水（電極板１０が陽極の場合は酸性イオン水、陰極の場合はアルカリイオン水）を排出するための排水管１３が接続されており、排水電磁弁１１を開いて排水を行う。また、排水管１３の排水電磁弁１１の上流側の部分には、内部配管の電解槽７の上流側の部分から分岐した排水用バイパス管１３ａが接続され、この途中に設けたバイパス弁１３ｂを開いて電解槽７内の滞留水や浄水部４内の滞留水を排水する。なおバイパス弁１３ｂに代えて絞りを設けてもよい。また、排水管１３には、電解槽７で電解水を効率よく生成するため流量調整弁等からなる流量調節部１２が設けてある。
【００１８】
また装置本体３には、浄水部４内のカートリッジ（図示せず）の有無を検出する浄水器センサ１４、商用の交流電源に接続される電源投入用プラグ１７、電源投入用プラグ１７からの交流電源を直流電源に変える制御用電源部１６、装置本体３の動作を制御する制御部１５、装置本体３の操作状態を表示する表示部１８ｂ及び、ｐＨ調節ボタン等の本体側操作部１８ａを備えた操作表示部１８と、後述の吐水スパウト２側に設けた水質切替用の操作部３９の送信手段４１から送信された操作信号を受信するための受信手段が設けてある。ここで、アルカリイオン水生成モードと浄水モードと酸性イオン水生成モードのいずれかの選択は、該吐水スパウト２の水質切替用の操作部３９からの遠隔操作によって行なわれる。また、モード選択の後に通水すると制御部１５によって極性（すなわち一方の電極板９を備えた側の電極室からアルカリイオン水生成と酸性イオン水生成のいずれが生成されるか）と通水状態が判断され、電解槽７での電気分解後にいずれかのモードにて選択された水が吐出される。なお、ｐＨ調節ボタン（図示せず）によって強モード、中上モード、中下モード、弱モードのいずれか一つのモードを選択することもでき、表示報知部１８ｂはこれらの動作状態をＬＥＤまたはＬＣＤにより表示し、且つ必要に応じて報知音を発生させる。
【００１９】
制御部１５は、ＭＰＵ（Micro Processing Unit）１５ａ、極性切換部１５ｂ、電解電圧スイッチング部１５ｃを備えており、ＭＰＵ１５ａが流量センサ６や浄水器センサ１４や本体側操作部１８ａ、吐水スパウト２の水質切替用の操作部３９から制御指示を得て演算処理して必要に応じて排水電磁弁１１、表示報知部１８ｂに動作指示をする。極性切換部１５ｂは、ＭＰＵ１５ａからの動作指示に応じて極性を切り替えるものである。電解電圧スイッチング部１５ｃは、ＭＰＵ１５ａからの動作指示に応じて、制御用電源部１６から出力された直流電圧電流をパルス変調することで電解槽７に印加する平均電圧を変化させる。そして、この電解電圧スイッチング部１５ｃでパルス変調された平均電圧に応じて、アルカリイオン水のｐＨ濃度を変化させることができる。
【００２０】
ここで、本発明においては、図１に示すように、前記水処理装置本体３から独立してスタンド型の吐水スパウト２が設けられていると共に、水処理装置本体３と吐水スパウト２とを接続する流路が柔軟なフレキシブル管２３を用いて構成されている。
【００２１】
図３は吐水スパウト２の基本構成を示している。この吐水スパウト２は先端下面に吐水口２４を有する管形状のスパウト２７と、スパウト２７の基端部２７ｃを支持する台座部２８と、台座部２８を任意の設置場所に着脱自在に固定する固定手段として例えば永久磁石とを備えている。
【００２２】
前記管形状のスパウト２７は、図３に示すように、先端部２７ａと基端部２７ｃとの中間部分を鋭角なＬ字形に屈曲させることにより、先端程下方に向けて下り傾斜した形状となっている。つまり、スパウト２７は先端部２７ａに向かって前下がりに傾斜し、最も低い先端下面から吐水口２４が下方に向けて突出している。
【００２３】
さらに図３の基本構成では、スパウト２７の吐水口２４を除いた外周部全体を中空管形状のスパウトカバー４２で覆っている。スパウトカバー４２はスパウト２７と同じＬ字状に屈曲管形状をしており、スパウトカバー４２の先端側は、スパウト２７と同様、先端程下方に向けて下り傾斜していると共に、スパウトカバー４２の先端下面には吐水口２４を外部に突出させる開口孔４３ａが形成されている。なおスパウトカバー４２は、樹脂製や金属製は問わないが、洗剤等の薬品に対して耐薬品性が高い材質、例えばステンレス鋼などが好ましい。
【００２４】
しかして、前記構成によれば、スパウトカバー４２によってスパウト２７の外観にボリューム感とデザイン自由度とが付与され、使用者に高級なイメージを与えることになり、外観上の見栄えが良くなる。しかも、スパウト２７とスパウトカバー４２とが二重構造となり、スパウト２７の強度が高まり、スパウト２７の先端部２７ａに荷重をかけられた時に、スパウト２７が根元から折損したりする心配がなく、強度に優れたスパウト２７が得られる。
【００２５】
また本例では、水処理装置本体３とスタンド型の吐水スパウト２とを別体で構成すると共に、両者２，３を繋ぐ流路を柔軟なフレキシブル管２３で構成したことにより、水処理装置本体３から独立して吐水スパウト２の設置位置を自由に変えることができ、使用者の使い勝手に応じて吐水口２４の位置を任意に変更できるようになり、使用者の好みに十分に対応できるようになる。
【００２６】
また、上記台座部２８に操作部３９を設けているので、処理水が吐出する吐水スパウト２側で処理水の水質の切り替えを行なうことができるので使いやすくなる。ちなみに、台座部２８の上面の操作部３９を操作する際に、スパウト２７の吐水口２４が低いと手がスパウト２７に当たりやすくなって操作がしにくくなる場合があるが、図３のようにスパウト２７を先端部２７ａに向かって前下がりに傾斜させることで、操作部３９からスパウト２７の屈曲部分までの高さが高くなって、手がスパウト２７の先端部２７ａに当たりにくくなり、操作性が良くなる利点もある。
【００２７】
ところで、スパウトカバー４２でスパウト２７を覆った構造では、スパウトカバー４２の内側は高湿度となって結露水が発生しやすくなるが、図３の例では、スパウト２７及びスパウトカバー４２を前下りに傾斜させると共に、スパウトカバー４２内に溜まった汚れた結露水や水垢等を吐水口２４周囲の開口孔４３ａから排出できるようになる。つまり開口孔４３ａが水抜き孔を兼ねる構造となるが、汚れた結露水や水垢等が吐水口２４を伝って流れ落ちる虞がある。
【００２８】
図４は本発明の実施の形態の一例であり、スパウトカバー４２の吐水口２４よりも後方Ｂ位置（吐水口２４よりも高い位置）に、前後に長い水抜き孔４３を切欠すると共に、水抜き孔４３の吐水口２４近傍位置にリブ４４を架け渡した構造となっている。他の構成は図３の基本構成と同様である。本例では、スパウト２７及びスパウトカバー４２を前下りに傾斜させると共に、スパウトカバー４２内に溜まった汚れた結露水や水垢等を吐水口２４よりも後方Ｂに設けた水抜き孔４３から排出できるので、汚れた結露水や水垢等が吐水口２４を伝って流れ落ちる虞がなくなる。この結果、水切性が良好となり、処理水の衛生状態を良好に保つことができるものである。
【００２９】
さらに、水抜き孔４３を吐水口２４の後方Ｂ位置において前後に長く形成することによって排水性が向上する一方で、スパウトカバー４２の強度が低下する心配がある。そこで水抜き孔４３近傍にリブ４４を架け渡すことによってスパウトカバー４２を補強でき、孔明けによるスパウトカバー４２の強度低下を極力防止できるようになる。しかも本例のリブ４４は、補強用以外に水切り用としても機能する。つまりスパウトカバー４２内に溜まった汚れた結露水や水垢等がスパウトカバー４２内面の下り傾斜によって吐水口２４側に向かって流下する際に、殆どの水が後方Ｂの水抜き孔４３から下方に流れ落ち、一部の水が水抜き孔４３の縁を伝って吐水口２４側に流れ落ちても吐水口２４近傍位置にリブ４４を架け渡しておくことにより、その伝い水がリブ４４を伝って下方に落下することようになり、水切り性がきわめて良好となる。つまり、リブ４４は、スパウトカバー４２の補強用以外に水切用としても機能するようになり、スパウトカバー４２の強度向上と、水切り性向上の両方を図ることができるものである。
【００３０】
図５、図６は、前記フレキシブル管２３の先端部とスパウト２７の給水口２６とを流路接続用の継手部３０を介して接続する場合の一例を示している。継手部３０は吐水スパウト２の台座部２８の内部に設けた収納空間４５内に収納されている。台座部２８の継手部３０を収納する収納空間４５を囲む外周壁の複数箇所にフレキシブル管２３の先端部が挿入可能な側面開口部２９が設けられている。本例では、台座部２８の外周壁の１８０°離れた反対側の２箇所に側面開口部２９がそれぞれ設けられている。
【００３１】
本例の継手部３０の一端側には、図６（ａ）に示すように、フレキシブル管２３の先端部に抜差自在に嵌め込み接続される第１の接続口３１が設けられ、継手部３０の他端側には、スパウト２７の給水口２６に抜差自在に嵌め込み接続される第２の接続口３２が設けられ、第１の接続口３１と第２の接続口３２とが回転筒部４６を介して互いに連通している。回転筒部４６は、図４（ａ）に示すように、第１の接続口３１と連通する連通孔を有する小径筒部４６ｂと、第２の接続口３２と連通する連通孔を有する大径筒部４６ａとで構成され、小径筒部４６ｂの内端部を大径筒部４６ａの内端部の内側に挿入した状態で、小径筒部４６ｂの外周面と大径筒部４６ａの内周面との間がＯリング（図示せず）によってシールされた状態で且つ両者４６ａ，４６ｂが互いに回転自在な状態で保持されると共に、第１の接続口３１と第２の接続口３２とが回転筒部４６を介して互いに連通した状態となる。大径筒部４６ａの外端面及び小径筒部４６ｂの外端面にはそれぞれ一対の回転軸４７が突設され、各回転軸４７が台座部２８の継手部３０を収納する収納空間４５の対向する内壁面に形成された一対の縦凹溝４８に軸支されている。
【００３２】
さらに本例では回転筒部４６を構成する大径筒部４６ａと小径筒部４６ｂとが横軸Ｍ（図５）廻りに互いに１８０°回転自在となっており、台座部２８の一方の側面開口部２９からフレキシブル管２３の先端部が挿入されたときは継手部３０の第１の接続口３１を該一方の側面開口部２９に向けて配置でき、逆に、他方の側面開口部２９からフレキシブル管２３の先端部が挿入されたときは、図５の矢印で示すように、継手部３０の第１の接続口３１を１８０°回転させることで該他方の側面開口部２９から挿入されるフレキシブル管２３との接続が可能となっている。
【００３３】
しかして、台座部２８の２つの側面開口部２９のいずれか一方から挿入されるフレキシブル管２３に合わせて継手部３０の第１の接続口３１の向きを横軸Ｍ廻りに１８０°回転させることによりフレキシブル管２３の捻れ等を是正しながら、フレキシブル管２３と第１の接続口３１との接続をスムーズに行なえるようになると共に、フレキシブル管２３を台座部２８の外周側に引き回す必要もないためフレキシブル管２３の長さを必要最短長さにでき、フレキシブル管２３が邪魔にならず、外観上の納まりや見栄えが良くなる。
【００３４】
次に、図４（ａ）、図６を参照して、スパウト２７の給水口２６と継手部３０の第２の接続口３２とを連結するための連結手段を説明する。本例の連結手段は、スパウトカバー４２の基端部２７ｃの外周面から突設したフランジ部３４と、継手部３０の第２の接続口３２の外周面から突設したフランジ部３５とを挟持することにより両フランジ部３４，３５を連結保持するための挟持具３３で構成されている。本例の挟持具３３は、台座部２８の継手部３０を収納する収納空間４５内に収納可能な大きさの略Ｕ字状に形成されていると共にその内面に沿って一端が開放されたコ字形溝４９が形成されている。コ字形溝４９の縦方向の溝幅は図６（ｂ）に示すように、両フランジ部３４，３５を重ね合わせた状態で両フランジ部３４，３５を上下から挟持できる幅寸法とされる。
【００３５】
先ず、台座部２８内に継手部３０を配した状態で、スパウト２７の給水口２６を台座部２８のスパウト挿入用孔５４を介して継手部３０の第２の接続口３２の内側に差し込むと、スパウト２７の吐水口２４の外周面に設けたＯリング５０（図４（ａ））によって給水口２６の外周面と第２の接続口３２の内周面との間がシールされた状態となり且つスパウト２７が第２の接続口３２に対して回転自在な状態で保持された状態となり、またこの状態で、スパウトカバー４２の基端部２７ｃが第２の接続口３２の外周面に嵌め込まれてスパウトカバー４２の基端部２７ｃの外周面から突出したフランジ部３４と継手部３０の第２の接続口３２の外周面に突設したフランジ部３５とが互いに重ね合わされた状態となる。本例では、スパウトカバー４２の基端部２７ｃの外周面が台座部２８のスパウト挿入用孔５４の内周面に隙間なく摺接した状態となる。その後、台座部２８の収納空間４５内において横方向から挟持具３３のコ字形溝４９を両フランジ部３４，３５に嵌め込んで両フランジ部３４，３５を互いに密着状態で挟持し（図６（ｂ）の状態）、その後、図６（ａ）に示す挟持具３３の端部に設けたネジ挿入孔６１からネジ６２を挿入して台座部２８のスパウト挿入用孔５４近傍に設けたネジ孔６３にネジ止めすることで、両フランジ部３４，３５を挟持した挟持具３３を台座部２８の収納空間４５内に固定できるようになると共に、スパウト２７及びスパウトカバー４２が台座部２８から自立性を有する起立状態で保持できるようになる。
【００３６】
しかして、挟持具３３にて両フランジ部３４，３５を挟持するだけで、スパウト２７の給水口２６と継手部３０の第２の接続口３２との連結作業をワンタッチで行なうことができるので、非常に安価で組み立て性が良くなる。さらに、保守点検時には挟持具３３を抜き取るだけで、スパウト２７と継手部３０とを容易に分解でき、メンテナンス性が向上する。また、スパウト２７の給水口２６は継手部３０の第２の接続口３２内にシール状態で回転自在に挿入され、且つ、スパウトカバー４２のフランジ部３４と継手部３０のフランジ部３５とが互いに回転自在な状態で挟持具３３にて挟持されているため、スパウト２７及びスパウトカバー４２が共に継手部３０の第２の接続口３２及び台座部２８に対して図７の縦軸Ｎ廻りに回転自在となり、結果、スパウト２７の先端部２７ａの吐水口２４が図７の矢印方向イに向かって台座部２８に対して縦軸Ｎ廻りに回転自在となり、台座部２８の向きを変えることなく、吐水口２４の向きを手で可変調整自在となり、使い勝手が一層良くなる。
【００３７】
前記台座部２８内の収納空間４５以外の部分は、図４に示す例では、電池や制御回路等が内蔵される部品収納部５５となっており、部品収納部５５の底面中央には着脱自在な電池カバー５６が配置され、底面両サイド側には固定手段２５を構成する永久磁石３７が内蔵されている。なお電池に代えて外部電源を用いてもよい。一方、吐水スパウト２が設置される設置場所３６には、図７に示すように、金属板等からなる磁性体３８が設けられる。しかして、台座部２８の底部分に設けた永久磁石３７と設置場所３６に設けた磁性体３８との磁気吸着力によって吐水スパウト２の台座部２８を任意の設置場所３６に動かないようにワンタッチで固定できるようになる。また設置場所３６としては水平面に限らず、傾斜面や垂直面など、任意の場所に固定できる利点もある。なお、台座部２８側に磁性体３８を設け、設置場所３６側に永久磁石３７を設けてもよい。更に他例として、永久磁石３７と磁性体３８との組み合わせに代えて、台座部２８の底部分に吸盤を設けて設置場所３６に吸引させる固定方式であってもよい。
【００３８】
図８〜図１０は、前記吐水スパウト２の台座部２８の上面部分に設けられる水質切替用の操作部３９の具体例を示す。本例の水質切替用の操作部３９には、アルカリ性イオン水を選択するアルカリ釦５１と、酸性イオン水を選択する酸性水釦５２と、浄水を選択する浄水釦５３と、制御手段２１とが設けられていると共に、操作部３９が操作された際に、水処理装置本体３に設けた受信手段４０に操作信号（例えば赤外線信号）を送信するための送信手段４１とが設けられている。操作部３９によって水処理装置本体３の運転モードをアルカリイオン水モード、酸性イオン水モード、浄水モードのいずれかの運転モードに切り替え可能となっている。
【００３９】
つまり、アルカリ釦５１を操作してアルカリイオン水モードを選択した状態では、図２に示す水処理装置本体３の排水電磁弁１１を開くと共にバイパス弁１３ｂを閉じた状態とすると共に、電極板９が陰極、電極板１０が陽極となるように両電極板９、１０間に電圧を印加することで、フレキシブル管２３からアルカリイオン水が吐出する。また酸性釦５２を操作して酸性イオン水モードを選択したときは、電極板９が陽極で電極板１０が陰極となるように両電極板９、１０間に電圧を印加することによりフレキシブル管２３から酸性水が吐出する。一方、浄水釦５３を操作して浄水モードを選択すると、排水電磁弁１１を閉じると共にバイパス弁１３ｂを閉じた状態とし、またこの浄水モードでは両電極板９、１０には電圧を印加しないため、フレキシブル管２３から浄水が吐出する。ここでは図９に示すように、吐水スパウト２の送信手段４１として２つの送信部４１ａ，４１ｂを設けてあり、一方、水処理装置本体３には図１０に示すように、１個の受信手段４０を所定角度θで傾けて配置してあり、各送信部４１ａ，４１ｂは上方の天井に向けて操作部３９による操作信号を送信するものであり、赤外線を照射するＬＥＤのような光学式の送信素子で構成してある。一方、受信手段４０は前記天井を反射した操作信号を受信可能となっている。本例では、図９（ｂ）のように送信部４１ａ，４１ｂを鉛直方向に対して角度θａ又は角度θｂだけ左右方向に傾斜させていると共に、図１０（ｂ）のように受信手段４０を所定角度θで傾斜させたことにより、受信手段４０は斜め方向からの操作信号を最も受信しやすくなると共に、複数ある送信部２９ａ、２９ｂのうちいずれかの送信部の送信方向に通信を阻害する障害物が位置したとしても、他の送信部によって受信手段４０との通信を確保することができ、吐水スパウト２を障害物を考慮することなく自由な位置に設置できるようになっている。また異なる送信部２８ａ、２８ｂから送信される操作信号を位相をずらして送信することで操作信号が重複することによる誤作動を防止することが可能である。
【００４０】
図１１は、前記水質切替用の操作部３９をスパウトカバー４２の先端程下方に向けて下り傾斜した上面部分に設けた場合の一例を示している。ちなみに、水質切替用の操作部３９を台座部２８の上面に設けた場合、スパウト２７の先端部２７ａが操作部３９を覆ってしまい、操作の妨げになる虞があるが、本例のように、スパウトカバー４２の先端側の上面部分に操作部３９を設けることにより、操作がしやすくなると共に、スパウトカバー４２の先端側の上面部分は前下がりに下り傾斜しているため、操作部３９が前方から見やすく且つ操作性が一段と向上する効果も得られる。
【００４１】
前記各実施形態では、水処理装置本体３から独立したスタンド型の吐水スパウト２を例示したが、本発明の更に他の実施形態として、図１２、図１３に示すように、処理水吐水用のスパウト２７を水処理装置本体３と一体型に形成してもよいものである。本例では、水質切替用の操作部３９が水処理装置本体３の上面に設けられていると共に、スパウトカバー４２でスパウト２７を覆って構成される吐水スパウト２を先端程下方に向けて下り傾斜させたものである。なお図中の３０は水処理装置本体３内の処理水吐水経路と吐水スパウト２の給水口とを接続する継手部であり、図１３（ｂ）中の７０は電源コード、７１は給水ホース、７２は排水ホースである。他の構成は図１〜図１０と同様であり、対応する部分には同一符号を付しておく。本例の水処理装置本体３と一体型の吐水スパウト２においても、前記実施形態と同様、外観性と強度性に優れると共に水抜き孔４３の後方Ｂ位置での水切性が良好である作用効果を得ることができる。
【図面の簡単な説明】
【００４２】
【図１】本発明の一実施形態を示す水処理装置本体から独立したスタンド型の吐水スパウトの設置状態を説明する斜視図である。
【図２】同上の水処理装置本体の一例である電解水生成装置の概略構造図である。
【図３】同上の吐水スパウトの基本構成を説明する一部破断した側面図である。
【図４】（ａ）は本発明の実施形態の吐水スパウトの側面断面図、（ｂ）は下面図である。
【図５】同上の吐水スパウトの給水口を継手部を介してフレキシブル管に接続する場合を説明する斜視図である。
【図６】（ａ）は同上の継手部とフレキシブル管とスパウトとを挟持具を用いて接続する場合を説明する分解斜視図、（ｂ）は挟持具により両フランジ部を挟持した状態を説明する断面図である。
【図７】同上の吐水スパウトを磁石にて任意の設置場所に固定する場合の説明図である。
【図８】同上の吐水スパウトの斜視図である。
【図９】（ａ）は同上の吐水スパウトの台座部に設けられる水質切替用の操作部の説明図、（ｂ）は操作部における２つの送信部を鉛直方向に対して異なる角度で左右方向に傾斜させた状態の説明図である。
【図１０】（ａ）（ｂ）は同上の水処理装置本体側に設けられる受信手段の説明図である。
【図１１】本発明の他の実施形態の吐水スパウトの斜視図である。
【図１２】（ａ）は本発明の更に他の実施形態の水処理装置本体と一体型の吐水スパウトを説明する側面図、（ｂ）は正面図である。
【図１３】（ａ）は図１２の水処理装置本体と一体型の吐水スパウトを説明する平面図、（ｂ）は水処理装置本体の底面図である。
【符号の説明】
【００４３】
２  吐水スパウト
３  水処理装置本体
２０  水処理装置
２４  吐水口
２７  スパウト
３９  操作部
４２  スパウトカバー
４３  水抜き孔  
４４  リブ
Ｂ  後方 
【図１】
2008169651.tif 000003
【図２】
2008169651.tif 000004
【図３】
2008169651.tif 000005
【図４】
2008169651.tif 000006
【図５】
2008169651.tif 000007
【図６】
2008169651.tif 000008
【図７】
2008169651.tif 000009
【図８】
2008169651.tif 000010
【図９】
2008169651.tif 000011
【図１０】
2008169651.tif 000012
【図１１】
2008169651.tif 000013
【図１２】
2008169651.tif 000014
【図１３】
2008169651.tif 000015